(57)【要約】膜に孔をあけることなく膜に取付ける取付け装置。該装置は、二つの相互係合部品（１０、１２）及び使用時に相互係合部品（１０、１２）によって保持されたＯリング（５０）を有する。相互係合部品（１０、１２）は、Ｏリング（５０）を受けることのできる位置からＯリング（５０）をトラップする位置まで相互に動くことができる。その結果、装置を膜（５２）に取付ける際に、相互係合部品（１０、１２）は、膜（５２）の一側に配置され得、相互係合部品（１０、１２）に隣接して膜（５２）の他側にＯリング（５０）を備え、Ｏリング（５０）は、相互係合部品（１０、１２）の少なくとも一方上に摺動され得、Ｏリング（５０）と相互係合部品（１０、１２）の少なくとも一方との間に膜（５２）がのびる。このようにしてＯリング（５０）は相互係合部品（１０、１２）で受けられ、相互係合部品（１０、１２）は、Ｏリング（５０）及びＯリング（５０）と共に膜（５２）の部分をトラップするように相互に動くことができ、取付け装置の膜（５２）への取付けを保証する。
2013518652.tif 000002
【特許請求の範囲】
【請求項１】
二つの相互係合部品と、使用時に相互係合部品によって保持されたＯリングとよりなり、前記相互係合部品が、Ｏリングを受けることのできる位置からＯリングを捕捉する位置まで相互に動くことができ、それにより、装置を膜に取付ける際に、相互係合部品を膜の一側に配置することができ、相互係合部品に隣接して膜の他側にＯリングを配置することができ、Ｏリングが相互係合部品の少なくとも一方を越えて摺動することができ、Ｏリングと相互係合部品の少なくとも一方との間に膜が延び、それにより、Ｏリングが相互係合部品で受けられ、相互係合部品が相互に動くことができ、Ｏリングと膜の部分とを捕捉し、取付け装置の膜への取付けを確実にする、膜に孔をあけることなく取付ける取付け装置。
【請求項２】
前記相互係合部品の一方が、スピゴットよりなり、相互係合部品の他方が、スピゴットを越えて嵌合するキャップよりなる、請求項１に記載の取付け装置。
【請求項３】
前記相互係合部品には、それぞれ、スナップ作用緊締部が設けられており、Ｏリングと膜の一部とを捕捉する、請求項１又は請求項２のいずれか１項に記載の取付け装置。
【請求項４】
前記スナップ作用緊締部が、前記相互係合部品の一方における少なくとも一つの凹部と、相互係合部品の他方における少なくとも一つの突起部とよりなる、請求項３に記載の取付け装置。
【請求項５】
前記突起部及び／又は前記凹部が、弾性部に装着され、スナップ作用を可能にする、請求項４に記載の取付け装置。
【請求項６】
前記突起部が、前記キャップの、内方に向いた部分に形成され、前記凹部が、前記スピゴットの外側に形成される、請求項２〜５のいずれか１項に記載の取付け装置。
【請求項７】
スカート部が、相互係合部品の一方又は他方に設けられ、装置の使用時に、前記Ｏリング及びＯリングと共に膜の一部を包囲する、請求項１〜６のいずれか１項に記載の取付け装置。
【請求項８】
前記スカート部が、前記スピゴットよりなる相互係合部品の一体部分である、請求項２に直接又は間接に従属する請求項７に記載の取付け装置。
【請求項９】
前記スカート部が、前記スピゴットよりなる相互係合部品に取り付けられた別個の部品である、請求項２に直接又は間接に従属する請求項７に記載の取付け装置。
【請求項１０】
前記スカート部が、前記スピゴットよりなる相互係合部品に取り付けられた別個の部品である、請求項２に直接又は間接に従属する請求項７に記載の取付け装置。
【請求項１１】
相互係合部品の一方には、少なくとも二つの凹部が設けられ、相互係合部品が受け位置から捕捉位置へ動かされる際の相互係合部品間の相対運動の方向において、これら二つの凹部は離間されており、それにより、他方の相互係合部品を、前記少なくとも二つの凹部のうちの外方の凹部によって保持することができて、受け位置となり、また他方の凹部によって捕捉位置となる、請求項１〜１０のいずれか１項に記載の取付け装置。
【請求項１２】
前記取付け装置には、照明装置が固定されている、請求項１〜１１のいずれか１項に記載の取付け装置。
【請求項１３】
前記照明装置が、発光ダイオードよりなる、請求項１２に記載の取付け装置。
【請求項１４】
前記照射装置を点灯する少なくとも一つのバッテリーを備えている、請求項１２又は請求項１３のいずれか１項に記載の取付け装置。
【請求項１５】
バルーン、例えばパーティーバルーンよりなり、バルーンの膜に、請求項１２〜１４のいずれか１項に記載の取付け装置が取付けられ、それにより、バルーンが、ふくらまされる時に照明され得る、組立体。
【請求項１６】
価値ある品物に用いた場合に、取付けた装置の一部を形成するバルーンよりなる組立体であって、水に入れるとバルーンが自動的に膨らんで照明されるように構成されており、被照明ブイとして機能する、請求項１５に記載の組立体。
【請求項１７】
照明装置には、バルーンの外側にある手段によって作動できるスイッチが設けられている、請求項１５又は請求項１６のいずれか１項に記載の組立体。
【請求項１８】
照明装置が、バネ負荷接点を備え、このバネ負荷接点は、別の接点に対してバネ負荷により付勢され、前記弾性によって接点間に保持された絶縁材料の条片によって、使用するまでオフ状態に保持されるスイッチを形成する、請求項１７に記載の組立体。
【請求項１９】
絶縁材料の条片が、バルーンの外側の位置まで延び、それにより、単にバルーンから取り出すことにより、接点を互いに絶縁状態から外すようにされる、請求項１８に記載の組立体。
【請求項２０】
例えば装置内の小さなガスシリンダによってバルーンを膨らませる時に、接点から条片を自動的に引き離し、照明装置を点灯させるように、バルーンの外側の条片の部分が固定される、請求項１６及び１７に従属する請求項１８記載の組立体。
【請求項２１】
単数又は複数のバッテリーが、相互係合部品の一方のハウジング内に保持され、ハウジングの一側が、単数又は複数のバッテリーの挿入を容易にさせるために開いており、そして装置の使用中には前記スカート部によって閉じられる、請求項１４に記載の、又は請求項１４記載に従属する請求項１５〜２０のいずれか１項に記載の取付け装置。
【発明の詳細な説明】
【技術分野】
【０００１】
本発明は、膜に孔をあけることなく膜に取付ける取付け装置に関するものである。
【背景技術】
【０００２】
既に提案されているこの種の装置の一つの構造体は、肩部と、肩部からのびる首部と、肩部から離間した頭部とよりなる。肩部、首部及び頭部は、単一の一体プラスチック射出成形の部品として提供される。使用時に、装置はバルーンの膜に取付けられる。この取付けを行なうために、頭部は膜の一側に対して押圧され、膜の他側にはＯリングを配置して頭部を越えて押圧されて首部内に押し込まれ、Ｏリングと首部との間に膜を捕らえることとしている。
【０００３】
このような構造体の欠点は、膜が伸張される際、又はＯリングが高温に晒される際に、Ｏリングが頭部から外れて、取付け装置が膜から外れ得ることにある。これは、バルーンが破裂して装置が飛び出したり、バルーンが膨らんでいるまま装置が外れることになり、その場合に装置が包み込まれてしまうかもしれず、危険となるかもしれない。
【発明の概要】
【発明が解決しようとする課題】
【０００４】
本発明は、改善手段を提供することにある。
【課題を解決するための手段】
【０００５】
従って、本発明は、二つの相互係合部品と、使用時に相互係合部品によって保持されたＯリングとよりなり、前記相互係合部品が、Ｏリングを受けることのできる位置からＯリングを捕捉する位置まで相互に動くことができ、それにより、装置を膜に取付ける際に、相互係合部品を膜の一側に配置することができ、相互係合部品に隣接して膜の他側にＯリングを配置することができ、Ｏリングが相互係合部品の少なくとも一方を越えて摺動することができ、Ｏリングと相互係合部品の少なくとも一方との間に膜が延び、それにより、Ｏリングが相互係合部品で受けられ、相互係合部品が相互に動くことができ、Ｏリングと膜の部分とを捕捉し、取付け装置の膜への取付けを確実にする、膜に孔をあけることなく取付ける取付け装置にある。
【０００６】
好ましくは、前記相互係合部品には、それぞれ、スナップ作用緊締部が設けられており、Ｏリングと膜の一部とを捕捉する。
【０００７】
前記相互係合部品の一方が、スピゴットよりなっていてもよく、相互係合部品の他方が、スピゴットを越えて嵌合するキャップよりなっていてもよい。
【０００８】
前記スナップ作用装置は、前記相互係合部品の一方における少なくとも一つの凹部と、相互係合部品の他方における少なくとも一つの突起部とよりなっていてもよい。前記突起部及び／又は前記凹部が、弾性部に装着されていてもよく、スナップ作用を可能にする。例えば、前記突起部が、前記キャップの、内方に向いた部分に形成され、前記凹部が、前記スピゴットの外側に形成されていてもよい。
【０００９】
スカート部が、相互係合部品の一方又は他方に設けられ、装置の使用時に、前記Ｏリング及びＯリングと共に膜の一部を包囲してもよい。
【００１０】
前記スカート部が、キャップの一部であってもよい。代わりに、前記スピゴットよりなる相互係合部品の一体部分であってもよく、前記スピゴットよりなる相互係合部品に取り付けられた別個の部品であってもよい。このことは、取付け装置が膜に取付けられ、そして膜が取付け装置に隣接したほぼ平坦な状態に伸張される時に、キャップにある膜の部分が、キャップから外方へ延びる膜の部分と同じ高さになるという効果がある。
【００１１】
有利には、相互係合部品の一方には、少なくとも二つの凹部が設けられ、相互係合部品が受け位置から捕捉位置へ動かされる際の相互係合部品間の相対運動の方向において、これら二つの凹部は離間されており、それにより、他方の相互係合部品を、前記少なくとも二つの凹部のうちの外方の凹部によって保持することができて、受け位置となり、また他方の凹部によって捕捉位置となる。
【００１２】
取付け装置には照明装置が固定されていてもよく、例えば発光ダイオードであり、発光ダイオードは、ダイオードを照射する少なくとも一つのバッテリーを備えている。
【００１３】
かかる装置には、バルーン、好ましくはそして限定的ではないがパーティーバルーンの膜を取付けてもよく、それでバルーンは、ふくらまされる時に照明してもよい。
【００１４】
代わりに、前記装置には、価値ある品物に用いた場合に、取付けた装置の一部を形成するバルーンの膜に取付けてもよく、該バルーンは、水に入れるとバルーンが自動的に膨らんで照明されるように構成してもよい。
【００１５】
照明装置には、バルーンの外側にある手段によって作動できるスイッチが設けられていてもよく、例えば、照明装置は、バネ負荷接点を備えてもよく、このバネ負荷接点は、別の接点に対してバネ負荷により付勢され、前記弾性によって接点間に保持された絶縁材料の条片によって、使用するまでオフ状態に保持されるスイッチを形成する。
【００１６】
絶縁材料の条片は、バルーンの外側の位置まで延びてもよく、それにより、単にバルーンから取り出すことにより、接点を互いに絶縁状態から外すようにされる。そしてバルーンは、ユーザーがバルーン内へ吹き込むことによってか又は空気ポンプによって膨らませることができる。
【００１７】
ブイの形態の構造体の場合には、バルーンの外側の条片の部分を、例えば装置内の小さなガスシリンダによってバルーンを膨らませる時に、照明装置を作動させるように、接点から条片を自動的に引き離すように固定してもよい。
【００１８】
単数又は複数のバッテリを、相互係合部品の一方のハウジング内に保持してもよく、ハウジングの一側は、単数又は複数のバッテリーの挿入を容易にさせるために開いており、そして装置の使用中には前記スカート部によって閉じられる。
【００１９】
以下、本発明に従って作った取付け装置の一例について、添付図面を参照して詳細に説明する。
【図面の簡単な説明】
【００２０】
【図１】本発明を実施している取付け装置の第１の係合部品の平面を示す。
【図２】図１の破線ＩＩ−ＩＩで画定した平面に沿った、図１の第１の相互係合部品を示す取付け装置を、一部側面図、一部展開図、一部軸方向断面図で示す。
【図３】図１に示す破線ＩＩＩ−ＩＩＩで画定した平面に沿った部分横断面を示す、図２のものに相当する図であるが、明瞭にするため、装置の幾つかの部分は、４５°の平面ＩＩ−ＩＩ、ＩＩＩ−ＩＩＩ間の角度の代わりに、９０°だけ軸線の回りで回転して示す。
【図４】装置の相互係合部品を第１の関連位置で示す、図３のものに相当する図である。
【図５】パーティーバルーンを取付け、その中に装置の相互係合部品を挿入している状態を示す、図４のものに相当する図である。
【図６】装置のＯリングを、装置のキャップを越えて摺動させた状態を示す、図５のものに相当する図である。
【図７】相互係合部品を第２の関連位置へ互いに動かした状態を示す、図６のものに相当する図である。
【図８】図２の図面の方向と同じ方向において装置を示す、図７に相当する図である。
【図９】装置の一部を外した状態を示す、図８に相当する図である。
【図１０】バルーンを膨らました状態を示す、図９に相当する図である。
【図１１（ａ）】図３に示す装置の部分を拡大して示す。
【図１１（ｂ）】図４に示す装置の部分を拡大して示す。
【図１１（ｃ）】図５に示す装置の部分を拡大して示す。
【図１１（ｄ）】図６に示す装置の部分を拡大して示す。
【図１１（ｅ）】図７に示す装置の部分を拡大して示す。
【図１２】パーティーバルーンの一部分に取り付けた、本発明を実施している変更型の取付け装置の部分断面側面図を示す。
【図１３】本発明を実施している図１２に示す取付け装置を変更した例の、一端部から見た斜視図を示す。
【図１４】図１３に示す取付け装置の側面図を示す。
【図１５】図１３及び図１４に示す取付け装置の端面図を示す。
【図１６】図１４に示す線ＸＶＩ−ＸＶＩで表わす平面における、図１３〜図１５に示す取付け装置の軸方向断面図である。
【図１７】図１４に示す線ＸＶＩＩ−ＸＶＩＩで表わす平面における、図１３〜図１５に示す取付け装置の横断面図である。
【図１８】図１４に示す線ＸＶＩＩＩ−ＸＶＩＩＩで表わす平面における、図１３〜図１５に示す取付け装置の横断面図である。
【図１９】図１５に示す線ＸＩＸ−ＸＩＸで表わす平面における、図１３〜図１５に示す取付け装置の別の軸方向断面図である。
【発明を実施するための形態】
【００２１】
図２〜図１０に示す二つの相互係合部品１０、１２の内、下方に使用される相互係合部品１０が、図１には示されている。図１に示す下方の相互係合部品１０は、肩部１４と、肩部から上向きにのびているスピゴット１６とを備え、肩部からスピゴットの側部に沿って上向きに四つのフィン１８がのび、隣接したフィンの間は９０°の角度で離間している。
【００２２】
図２〜図１１に示すように、下方の相互係合部品１０の肩部１４の下には、バッテリーハウジング２０が設けられ、このバッテリーハウジング２０の下方端部には、発光ダイオード２２が取付けられている。部品１４〜２０は、単一部片プラスチック成形品として一体に構成されている。ハウジング２０内の二つのボタンセル電池（図示していない）の一側において、ハウジング２０の内側からハウジング２０の外側に沿って延び、そして下方向にハウジングの下方端部の位置まで延びるのは、弾性金属バネ条片接点２４である。バネ条片接点２４の下方端部２６がハウジング２０の下方端部へのびる第２の金属条片２８と接触するように、バネ条片接点２４は付勢される。第２の金属条片２８は、発光ダイオード２２の一側と接触し、発光ダイオード２２の他側は、ハウジング２０内のバッテリー（図示せず）の一端子に電気的に接続されている。バッテリーの上方端子は、接点条片２４の上方端部と電気的に接触している。電気的に絶縁性である薄いプラスチック積層型紙タグ３０の上方端部は、バネ接点２４と対向接点２８との間に保持されて、これら接点を互いに絶縁するようにしている。タグの下方端部には、三角形のプルタブ３２を備えている。プルタブ３２の上方には、タグの幅狭部分３４があり、そして上方へ向かって徐々に広くなった幅広部分３６が設けられている。
【００２３】
図３及び図１１（ａ）に見ることができるように、スピゴット１６には、隣接したフィン１８間に位置しかつ肩部１４に対して上方位置でスピゴット１６の周りにのびている凹部３８の第１のリングが形成され、また、肩部１４に近い下方位置に凹部４０の第２の連続体が形成されている。
【００２４】
取付け装置の、上方に使用される相互係合部品１２は、内側に向いたキャップ４２の形態であり、該キャップ４２は、蓋部４４と、各々それぞれ内側に向いた突起部をもち、下方へ延びた、弾性的にバネ負荷された顎部４６とを備えている。キャップ４２の蓋部４４の周囲から下方へスカート部４８がのび、それによりスカート部４８と顎部４６との間に環状凹部が画定される。
【００２５】
取付け装置は、更に、Ｏリング５０を有し、Ｏリングの直径は蓋部４４の直径より小さく、Ｏリング５０が、スカート部４８と顎部４６との間の凹部にぴったり嵌合するようにされている。
【００２６】
部品４２〜４８よりなるキャップ４２は、単一の一体成形プラスチック構成要素として形成される。
【００２７】
顎部４６と凹部３８、４０とは、スナップ作用緊締装置を構成している。
【００２８】
取付け装置が使用のため準備される際に、スピゴット１６にキャップ４２が配置され、そして下方へ付勢され、図４及び図１１（ｂ）に示すように、顎部４６が凹部３８の上方リング内にスナップ嵌めする。こうして組み立てられた相互係合部品１０、１２は、パーティーバルーン５２内に挿入され、キャップ４２は、図５及び図１１（ｃ）に示すように、バルーンの最も上部に位置させようとする部分の内側に位置決めされる。キャップ４２を越えて伸ばされたバルーンのゴム膜によって、Ｏリング５０は、キャップ４２とＯリング５０との間のバルーン５２の膜の部分と共に、キャップ４２を越えて摺動される。図６及び図１１（ｄ）に示すように、Ｏリング５０は、スカート部４８の下方の位置に摺動され、それによりスピゴット１６の下方端部のまわりに配置され、Ｏリング５０とスピゴット１６との間のバルーン５２の膜の部分も、スピゴット１６の下方端部のまわりに配置される。
【００２９】
図７、図８及び図１１（ｅ）に示すように、キャップ４２をスピゴット１６に対して下方へ押圧し、顎部４６が凹部４０の下方リング内にスナップ嵌めされる。キャップ４２とスピゴット１６との相対運動中に顎部４６がＯリング５０によってふさがれる可能性を、フィン１８は低減する。これにより、スカート部４８と蓋部４４と顎部４６と肩部１４とで画定された空洞内に閉じこめられるＯリング５０により、キャップ４２及びスピゴット１６を、不変的にロックし、Ｏリング５０及びキャップ４２はバルーンの膜の部分で包囲される。
【００３０】
バルーンの準備がされると、タグ３２を用いて条片３０をバルーンから引き出す。これにより、バネ接点２４は内側接点２８と接触し、それによりＬＥＤ２２は図９に示すように点灯される。そしてバルーンを膨らませ、図１０に示すように、ダイオード２２、バッテリーハウジング２０及び取付け装置は全て、バルーンの上端部とされるバルーン内の部分にしっかりと取り付けられ、バルーンの内部を照射する。バルーンのゴム材料が曇った半透明性のものである場合には、バルーン内に発光したダイオードが存在することより、特に暗闇で見たときにバルーン全体が燃えているような印象を与える。
【００３１】
図１２に示す変更例では、スカート部４８は、キャップ４２の蓋部４４から下向きにのびる代わりに、二つの相互係合部品の内の下方の部品と一体に形成することができ、そして図１２に示すように肩部１４から上向きにのび、キャップ４２の蓋部４４の直径は、スカート部４８の内径より幾分小さいように減小され、従って、蓋部４２とスカート部４８との間に小さな環状の開口５４が設けられ、この小さな開口５４は、バルーン５２の膜の部分に対しては伸張するように十分広いがＯリング５０に対しては外れるほどに十分広くない。このような変更例の利点は、キャップ４２に延びる膜の部分が、バルーンを膨らませた時にキャップ４２から外側へのびる膜の部分と同じ高さになることである。
【００３２】
図１４〜図１９に示す本発明の変形取付け装置は、これら図面に示すような構成部品を有しており、これら構成部品の符号は、図１〜図１２に示す実施形態の部品に対応して、同じ符号が付されている。図１４〜図１９に示す構造体と図１２に示す構造体の主な相違点は、（ａ）スカート部４８の構造において、スカート部４８が係合部品１０に取り付けられた別個の構成要素として作られている点と、（ｂ）スピゴット１６の凹部３８及び４０、即ち上方レベル及び下方レベルとそれぞれ係合する顎部４６が２つのレベルでキャップに存在する点とである。
【００３３】
相互係合部品１０は、バッテリーハウジング６０を有し、バッテリーハウジング６０は、さらにスピゴット１６からハウジング６０の端部に肩部６２を備え、スカート部４８の端部における内側に湾曲したリップ６４がスナップ嵌めする。これらの内側に湾曲したリップ６４の面取り端面は、ハウジング６０の、隣接した噛み合い部６６に当接する。
【００３４】
図１９は、取付け装置の回路の構成の仕方を明瞭に示す。従って、発光ダイオード２２には、二つの電気接点７０、７２が設けられ、これらの電気接点は絶縁部材７４によって離間されている。電気接点７０は、ハウジング６０内に保持されたディスクすなわちボタンバッテリー７６の正の端子に当接している。バッテリー７６の負側は、ハウジング内に保持されバッテリー７６に対して積み重ねられた別のディスクすなわちボタンバッテリー７８の正の端子に当接している。ディスクバッテリー７８の負側は、弾性金属条片接点２４の内側部８０に当接している。弾性金属条片接点２４は、発光ダイオード２２の他の接点７２まで延びしかも接点７２と弾性的に係合して、電気回路を形成する。
【００３５】
図１８には、ハウジング６０に開口側８２がどのように設けられるかを示し、開口側８２によりバッテリー７６、７８はハウジング６０内にスナップ嵌合でき、その後、スリーブ４８は、ハウジング６０を越えて摺動させることができ、内側に湾曲したリップ６４が、噛み合い部６６そして肩部６２にスナップ嵌合する。スカート部４８には、内方へ突出した一体パッド８４が設けられ、このパッド８４は、バッテリー７６、７８に当接してそれらバッテリー７６、７８を適切な位置に保持する。図２〜図８に示すように、組立体は、バネ条片２４とダイオード接点７２との間にプラスチック積層紙タグの一端部を挿入することによって完成される。
【００３６】
ハウジング２０又は６０内にバッテリーを備えた部品１４〜２０又は１４、１６、６０は、平滑であるプラスチックカバー内に収納してもよく、膜を破る突起の危険を低減し、装置の安全性を全体として高める。
【００３７】
図面に示す装置の種々の変形及び変更は、本発明の範囲外となることなしに、読者には可能であろう。例えば、フィン１８を４つよりも多く又は少なくしてもよく、３又は５つのフィンであっても良い。フィンの数に関わらず、それらのフィンは、必須ではないが好ましくは、等間隔に離間される。ＬＥＤ２２は、ＯＬＥＤのような異なる照明装置に変えることができる。ボタン電池７６、７８以外の電池を用いてもよく、ただ一つでも良く、二つ以上設けてもよい。バネ条片接点２４を省いて、異なる導電性素子で電気回路を作ってもよく、また条片３０の端部は、例えば使用に先立ちボタンバッテリー７６、７８間、或いはボタンバッテリー７６とＬＥＤ接点７０との間に挿入してもよい。取付け装置は、バルーン５２の頂部としようとする部分、すなわち最上方部分、以外の部分に取付けてもよい。
【００３８】
本発明による取付け装置は、パーティーバルーンの膜以外の膜、或いは救助バルーンの膜、例えば、熱気球、商業又は科学的バルーンの膜、或いは任意の大きなバルーンの実際の膜、及びバルーンの膜以外の膜、例えば医学的目的で用いる膜に対して用いることができることは、理解されよう。
【符号の説明】
【００３９】
１０：相互係合部品、
１２：相互係合部品、
１６：スピゴット、
２２：発光ダイオード、
２４：弾性金属バネ条片接点、
２８：第２の金属条片、
３０：電気的に絶縁性の薄いプラスチック積層型紙タグ、
３８：凹部、
４０：凹部、
４２：キャップ、
４６：顎部、
４８：スカート部、
５０：Ｏリング、
５２：バルーン、
６０：バッテリーハウジング、
７６：バッテリー、
７８：バッテリー、
【図１】
2013518652.tif 000003
【図２】
2013518652.tif 000004
【図３】
2013518652.tif 000005
【図４】
2013518652.tif 000006
【図５】
2013518652.tif 000007
【図６】
2013518652.tif 000008
【図７】
2013518652.tif 000009
【図８】
2013518652.tif 000010
【図９】
2013518652.tif 000011
【図１０】
2013518652.tif 000012
【図１１（ａ）】
2013518652.tif 000013
【図１１（ｂ）】
2013518652.tif 000014
【図１１（ｃ）】
2013518652.tif 000015
【図１１（ｄ）】
2013518652.tif 000016
【図１１（ｅ）】
2013518652.tif 000017
【図１２】
2013518652.tif 000018
【図１３】
2013518652.tif 000019
【図１４】
2013518652.tif 000020
【図１５】
2013518652.tif 000021
【図１６】
2013518652.tif 000022
【図１７】
2013518652.tif 000023
【図１８】
2013518652.tif 000024
【図１９】
2013518652.tif 000025
【国際調査報告】
2013518652.tif 000026
2013518652.tif 000027